(57)【特許請求の範囲】
【請求項１】
屋根部、右側面部、左側面部、前面部、後面部からなるテントフレームの周囲に張設されたテントシートであって、その前面部シートにおいて一方の側面部寄りに下端から側面部上端近傍までおよび他方の側面部寄りに下端から側面部上端近傍を経由して棟部近傍まで各１条のスライドファスナが設けられてなることを特徴とするテント。
【請求項２】
屋根部、右側面部、左側面部、前面部、後面部からなるテントフレームの周囲に張設されたテントシートであって、その前面部シートにおいて一方の側面部寄りに下端から側面部上端近傍までおよび他方の側面部寄りに下端から側面部上端近傍を経由して棟部近傍まで各１条のスライドファスナが設けられており、その後面部シートにおいて少なくとも１条の付設されたスリーブに可撓性緊締部材が内包されて設けられてなることを特徴とするテント。
【発明の詳細な説明】
【０００１】
【発明の属する技術分野】
本発明は、収容物の搬出入に利便性があり、テントフレームに支持されてないテントシート面の補強を施したテントに関する。
【０００２】
【従来の技術】
従来、簡易倉庫用テントとして切妻屋根を形成するテントフレームの屋根部、前面部、後面部および両側面部をテントシートで被覆したテントが広く使用されている。このようなテントにおいては、前面部から収容品を搬出入するために、図５に示すように、前面部シートの両側の側面部寄りに下端から側面部上端近傍までスライドファスナーが設けられており、収容品を搬出入する際には、スライドファスナを上端まで開き前面部のシートを上端部に巻き上げて保持し、開放された前面部から収容品の搬出入を行っている。しかしながら、収容品の高さがスライドファスナの設けられた側面部上端近傍位置より高いが切妻屋根の高さには十分収まって収容可能な場合には、搬出入が困難で、収容品を傾斜して前面部シートの開放部分をくぐらせて搬出入しなければならないという不都合があった。
【０００３】
また、このようなテントのテントフレームは、側面部には適宜間隔で鉛直方向の支柱が設けられたり、水平方向の取付け用パイプが設けられて、それぞれテントシートに設けられた取付け部材により取り付けられ、風圧などによりはためいたりしないように固着されているのが通常である。しかしながら、後面部には、切妻屋根で背丈が高く幅も広いにもかかわらず、鉛直方向の支柱や水平方向のパイプなどは設けられてないのが普通である。そのため、後面部のシートは、風圧のためはためいたり、さらに強風を受けると剥がされたり、破損に至るなどの問題もあった。
【０００４】
【発明が解決しようとする課題】
本発明は、上記事情に鑑み、前面部シートは棟部近傍まで開閉可能として背丈の高い収容品の搬出入を容易にし、かつ後面部シートには緊締部材を取り付けて補強を施したテントを提供することを目的とする。
【０００５】
【課題を解決するための手段】
本発明は、上記課題を解決するためになされたもので、
請求項１に係る発明は、屋根部、右側面部、左側面部、前面部、後面部からなるテントフレームの周囲に張設されたテントシートであって、その前面部シートにおいて一方の側面部寄りに下端から側面部上端近傍までおよび他方の側面部寄りに下端から側面部上端近傍を経由して棟部近傍まで各１条のスライドファスナが設けられてなることを特徴とするテントである。
【０００７】
請求項２に係る発明は、屋根部、右側面部、左側面部、前面部、後面部からなるテントフレームの周囲に張設されたテントシートであって、その前面部シートにおいて一方の側面部寄りに下端から側面部上端近傍までおよび他方の側面部寄りに下端から側面部上端近傍を経由して棟部近傍まで各１条のスライドファスナが設けられており、その後面部シートにおいて少なくとも１条の付設されたスリーブに可撓性緊締部材が内包されて設けられてなることを特徴とするテントである。
【０００８】
【発明の実施の形態】
以下、本発明を図面に示す一実施例に基づいて詳しく説明する。図１は、本発明のテント１を俯瞰する斜視図であり、（イ）は前面部６から、（ロ）は後面部７からテント１を見た状態を示している。図２は、テントフレーム８の概略を示している。
【０００９】
テント１は、例えば、図２に示すような切妻屋根９を形成するテントフレーム８にテントシート２が取り付けられて構成されているが、屋根部３には傾斜方向および水平方向に補強用として複数本のパイプ材１０が所定間隔で架設されており、右側面部４および左側面部５には鉛直方向および水平方向に補強用およびテントシート２取付用の複数本のパイプ材１０が所定間隔で設けられている。前面部６および後面部７には、通常、収容品の搬出入のために開放可能なようにパイプ材１０が取り付けられていることはない。
【００１０】
このようなテントフレーム８を、図１に示すように、テントシート２で全体を覆うものであって、屋根部３、右側面部４、左側面部５、前面部６、後面部７をそれぞれテントシート２で覆っている。テントシート２は、屋根部３、右側面部４、左側面部５においては、それぞれテントシート２の裏面に設けられた取付け部材を用いてテントフレーム８を構成するパイプ材１０に連結されている。右側面部４、左側面部５を覆うテントシート２は、符号ａで示すように、その最下端部が防風、防水のために地中に埋設されているのが好ましい。
【００１１】
テントシート２の前面部６は、屋根部３および左右側面部４、５との連接縁部において連結されてテントフレーム８に取り付けられている。その前面部シート１１において、左側面部５寄りに下端から軒部１２（側面部上端であって屋根部３最下端部との連接点）近傍までスライドファスナ１４が設けられ、さらに該スライドファスナ１４は軒部１２近傍で曲折して屋根部３の縁部に沿って棟部１３（切妻屋根頂部）近傍まで延長して設けられている。また、その前面部シート１１において右側面部４寄りに下端から軒部１２近傍までスライドファスナ１４が設けられている。このように前面部シート１１の両側面部よりに設けられたスライドファスナ１４を開くことにより、前面部シート１１は右側の屋根部３に沿った縁部に巻き上げることが可能となり、前面部６は全体を開放することができる。このようにしてなるテント１は、棟部１３までの高さのある収容物であっても容易に搬出入が可能となり、利便性、作業性、収容性にすぐれた簡易倉庫用として好適に使用できる。
【００１２】
本実施例においては、左側面部５寄りに下端から軒部１２近傍までスライドファスナ１４が設けられ、さらに該スライドファスナ１４は軒部１２近傍で曲折して屋根部３の縁部に沿って棟部１３近傍まで延長して設けられているが、これに代えて、右側面部４寄りの下端から延長して軒部１２で曲折して、さらに棟部１３までスライドファスナ１４が設けられてもよいことは当然である。
【００１３】
テントシート２の後面部７は、屋根部３および左右側面部４、５との連接縁部において連結されてテントフレーム８に取り付けられている。そして、後面部シート１５は、その下端部においては左右側面部４を連結するために設けられたテントフレーム８あるいはペグ等の固定部材（図示略）に連結するのが好ましく、さらに、符号ｂで示すように、防風、防水のために地中に埋設されているのが好ましい。
【００１４】
さらに、後面部シート１５において、図１（ロ）に示すように、棟部１３から下端までスリーブ１６が設けられ、該スリーブ１６には可撓性緊締部材１７が内包されている。可撓性緊締部材１７の上端部は連結部材を用いてテントフレーム８の棟部１３に連結されている。一方可撓性緊締部材１７の下端部は連結部材を用いて後面部７の下端の設けられたテントフレーム８あるいはペグ等の固定部材（図示略）に連結されることが肝要である。このように、後面部シート１５に設けられたスリーブ１６に内包された可撓性緊締部材１７の両端部をテントフレーム８等に連結することにより、中央部においてテントフレーム８に支持されていない後面部シート１５を補強することができ、風によるはためきや剥離を防止してテントシート２の保形を維持することができる。
【００１５】
本実施例においては、後面部シート１５において棟部１３から下端まで１条のスリーブ１６が設けられ、そのスリーブ１６に内包された可撓性緊締部材１７がを上下端部が連結されて展張してあるが、可撓性緊締部材１７による連結は、この位置あるいは本数に限定されるものではなく、鉛直方向あるいは水平方向いずれに設けてもよく、１〜複数本を併設しても差し支えない。
【００１６】
後面部７に設けられるスリーブ１６は、基材シートにスリーブ１６を設けてあり、そのスリーブ１６に可撓性緊締部材１７を内包させるものである。スリーブ１６の形成方法は、帯状体のフラップを二つ折りして鞘状に形成したスリーブ１６を基材シートに接合して取り付け可撓性緊締部材１７を内包してもよいが、帯状体のフラップの長手方向の両端を基材シートに接合し、フラップと基材シートの間に空隙を設けてスリーブ１６を形成することができる。接合方法は、溶着、縫着、接着等いずれの方法でもよいが、溶着が好ましい。
【００１７】
上記可撓性緊締部材１７は、扁平な断面形状を有し、可撓性を有するものである。可撓性緊締部材１７として具体的には、金属製ベルト、織編布からなる縫製ベルト、合成樹脂製バンドなどいずれも使用できるが、高強力、軽量であるポリエステルバンドまたはポリプロピレンバンドが好適に使用できる。可撓性緊締部材１７の先端部には、従来公知の連結用の雄雌型連結部材（図示略）が用いられ、例えば、一対のフック体とバックル体とから構成される連結部材が取り付けられるのが好ましい。このような連結部材により、可撓性緊締部材１７の緊締時にはフック体をバックル体に結合させて引っ張ることにより容易にカバーシート体を緊締することが可能であり、解体時には、可撓性緊締部材１７のほどき作業が不要となり、フック体を外すことにより容易に可撓性緊締部材１７を弛めて取り外すことが可能となるものである。
【００１８】
本発明に用いられるテントシート２は、合成繊維または天然繊維からなる織布または不織布に合成樹脂からなるシートを積層した熱溶着性シートなどである。これらのうちでは、防水性および加工性にすぐれた合成繊維に合成樹脂からなるシートを積層した積層シートが好ましい。合成樹脂からなるシートを積層することにより、織布または不織布を用いた場合に発生する虞のあるコンタミを防止できるので好ましい方法である。積層シートの用いられる合成繊維としては、ナイロン、ポリエステル、ポリオレフィンなどの繊維が好適に用いられ、積層する合成樹脂としては、加工性にすぐれ、廉価なポリオレフィンが好適に用いられる。これらのうちでは、ポリオレフィンからなる織布にポリオレフィンからなるシートを積層したポリオレフィン積層シートが最も好ましい。
【００１９】
上記ポリオレフィン積層シートとしては、具体的には、高密度ポリエチレンを用いて形成したフラットヤーンを経緯糸に用いて織成した織布の両面に低密度ポリエチレン層を積層してなるものが好適に用いられる。フラットヤーンの形成方法は公知のＴダイ法あるいはインフレーション法でよく、低密度ポリエチレンの積層方法は公知の押出ラミネーション法が好ましい。
【００２０】
上記フラットヤーンの繊度は、５００〜３０００デニール（以下、ｄと略す）が好ましく、このフラットヤーンを用いて織成する打込密度が５〜３０本／インチが好ましく、１０〜２０本／インチがより好ましい。織組織は平織、綾織などにより織布を形成する。織布の目付は５０〜４００ｇ／ｍ２が好ましく、１００〜３００ｇ／ｍ２がより好ましい。低密度ポリエチレン層の厚みは３０〜１００μｍが好ましく、４０〜６０μｍがより好ましい。
【００２１】
前記スリーブ１６は、上記熱溶着性シートを基材シートとして用いて溶着法により形成することができる。
【００２２】
本発明に用いられるテントシートには、本発明の趣旨を逸脱しない範囲において酸化防止剤、紫外線吸収剤、光安定剤、分散剤、滑剤、帯電防止剤、顔料、無機充填剤、架橋剤、発泡剤、核剤等の通常用いられる添加剤を配合することができる。
【００２３】
本発明のテントは、切妻屋根を有するテントフレームに限定されるものではなく、前面部および後面部の屋根部形状が円形または楕円形状である場合あるいは片流れ屋根を有するテントフレームなど、棟部と軒部との高さに差異を有するテントフレームであれば同様に設計可能である。本発明のテントは、簡易倉庫用テント、ガレージ用テント、畜舎用テントなどに好適に用いられる。
【００２４】
【発明の効果】
以上説明したように、本発明のテントは、テントシートの前面部において一方の側面部寄りに下端から軒部近傍までスライドファスナが設けられ、さらに該スライドファスナは軒部近傍で曲折して屋根部の縁部に沿って棟部近傍まで延長して設けられている。また、その前面部シートにおいて他方の側面部寄りに下端から軒部近傍までスライドファスナが設けられている。このように前面部シートの両側面部よりに設けられたスライドファスナを開くことにより、前面部シートは右側の屋根部に沿った縁部に巻き上げることが可能となり、前面部は全体を開放することができる。このようにして、棟部までの高さのある収容物であっても容易に搬出入が可能となり、利便性、作業性、収容性にすぐれた簡易倉庫として好適に使用できる。
【００２５】
また、テントシートの後面部において、所定位置に所定数条のスリーブが設けられ、該スリーブには可撓性緊締部材が内包されており、可撓性緊締部材の両端部は連結部材を用いてテントフレームに連結される。このように、後面部シートに設けられたスリーブに内包された可撓性緊締部材の両端部をテントフレーム等に連結することにより、中央部においてテントフレームに連結されていない後面部シートを補強することができ、風によるはためきや剥離を防止してテントシートの保形を維持することができる。
【図面の簡単な説明】
【図１】本発明に係るテントであって、（イ）は前面部から、（ロ）は後面部から見た状態の説明図である。
【図２】テントフレームの一例を示す説明図である。
【図３】従来のテントであって、（イ）は前面部から、（ロ）は後面部から見た状態の説明図である。
【符号の説明】
１    テント
２    テントシート
３    屋根部
４    右側面部
５    左側面部
６    前面部
７    後面部
８    テントフレーム
９    切妻屋根
１０  パイプ材
１１  前面部シート
１２  軒部
１３  棟部
１４  スライドファスナ
１５  後面部シート
１６  スリーブ
１７  可撓性緊締部材
ａ    側面部シートの最下端が地中に埋設されている箇所
ｂ    後面部シート１５の最下端が地中に埋設されている箇所
【図１】
0003943729.tif 000002
【図２】
0003943729.tif 000003
【図３】
0003943729.tif 000004